(57)【要約】【課題】センサ脱着式照明器具において、センサの脱着による外観の変化を目立たなくすると共に、センサが取り付けられていないときの充電部分の露出を防止する。【解決手段】照明器具１０は、照明ランプ１１と、照明ランプ１１を点灯制御するためのセンサ１２と、センサ１２をその検出部が露出するように器具筐体１３に脱着自在に取り付けるためのセンサ取付部１４と、センサ１２が取り付けられていないときのダミーとなるダミー部１５を備え、センサ１２とダミー部１５が、置き換え自在にセンサ取付部１４に取り付けられる。これにより、外観の変化がダミー部１５によって目立たなくなると共に、充電部分がダミー部１５で覆われる。【選択図】図１
2010033817.tif 000002
【特許請求の範囲】
【請求項１】
照明ランプと、前記照明ランプを点灯制御するためのセンサと、前記センサをその検出部が露出するように器具筐体に脱着自在に取り付けるためのセンサ取付部と、を備えたセンサ脱着式照明器具において、
外形が前記センサと略同形状を有し、該センサが取り付けられていないときのダミーとなるダミー部をさらに備え、
前記センサと前記ダミー部が、置き換え自在に前記センサ取付部に取り付けられることを特徴とするセンサ脱着式照明器具。
【請求項２】
前記センサ取付部は、前記センサ又は前記ダミー部が取り付けられる取付台と、この側方にあって、前記ダミー部をスライド収容するための収容部とを備え、
前記センサが取り付けられるとき、前記ダミー部が前記収容部にスライド収容されることを特徴とする請求項１に記載のセンサ脱着式照明器具。
【発明の詳細な説明】
【技術分野】
【０００１】
本発明は、センサが脱着自在に取り付けられるセンサ脱着式照明器具に関する。
【背景技術】
【０００２】
従来から、センサを器具筐体に脱着して変更可能なセンサ脱着式照明器具が知られている（例えば、特許文献１参照）。図６は、そのような照明器具４０を斜め下から見た構成概要を示す。照明器具４０は、天井等に取り付けられ、蛍光管等の照明ランプ４１と、その照明ランプ４１の点灯制御に供せられるセンサ４２と、センサ４２を器具筐体４３に取り付るためのセンサ取付部４４とを備える。センサ４２は、例えば、人の存在を検出する検出部４２ａと明るさを検出する検出部４２ｂとを備え、検出部４２ａ、４２ｂが露出するようにセンサ取付部４４に取り付けられる。
【０００３】
図７（ａ）（ｂ）は、照明器具４０におけるセンサ取付部４４付近の外観を示し、図７（ａ）はセンサ４２が取りけられていない状態、図７（ｂ）はセンサ４２が取り付けられた状態を示す。図７（ａ）（ｂ）に示すように、照明器具４０は、センサ４２の脱着によって、センサ取付部４４付近の外観が顕著に変化する。照明器具４０は、何らかのセンサ４２が常に取り付けられる照明器具であれば、外観の変化はなく、意匠上の問題はない。しかし、照明器具４０が、センサ４２を取り付けなくても一定の機能を果たす照明器具であれば、センサ４２の有無によって外観が異なるという意匠上の問題が生じる。すなわち、照明器具４０は、センサ４２を取り付けない場合は、センサ取付部４４のみが露出するため、センサが取り付けられた他の照明器具との外観上の差異が目立つ。特に、複数の照明器具４０を用いて照明システムを構成する場合は、各照明器具４０外観が異なると、照明システムとしての外観に統一感を欠くこととなり、意匠上の問題は大きくなる。また、センサ４２とセンサ取付部４４は、コネクタ４４ｃ等で電気的に接続されるが、センサ取付部４４にセンサ４２が取り付けられていない場合、コネクタ４４ｃが露出状態となる。この状態は、コネクタ４４ｃの充電部分が露出し、ユーザが容易に触れることができるので、品質上及び安全上好ましくない。
【特許文献１】特開２００２−１１０３７６号公報
【発明の開示】
【発明が解決しようとする課題】
【０００４】
本発明は、上記問題を解決するものであり、センサ脱着式照明器具において、センサの脱着による外観の変化を目立たなくすると共に、センサが取り付けられていないときの充電部分の露出を防止することを目的とする。
【課題を解決するための手段】
【０００５】
上記目的を達成するために請求項１の発明は、照明ランプと、前記照明ランプを点灯制御するためのセンサと、前記センサをその検出部が露出するように器具筐体に脱着自在に取り付けるためのセンサ取付部と、を備えたセンサ脱着式照明器具において、外形が前記センサと略同形状を有し、該センサが取り付けられていないときのダミーとなるダミー部をさらに備え、前記センサと前記ダミー部が、置き換え自在に前記センサ取付部に取り付けられるものである。
【０００６】
請求項２の発明は、請求項１に記載のセンサ脱着式照明器具において、前記センサ取付部は、前記センサ又は前記ダミー部が取り付けられる取付台と、この側方にあって、前記ダミー部をスライド収容するための収容部とを備え、前記センサが取り付けられるとき、前記ダミー部が前記収容部にスライド収容されるものである。
【発明の効果】
【０００７】
請求項１の発明によれば、センサと、それと外形が略同形状のダミー部が置き換え自在にセンサ取付部に取り付けられるので、センサの脱着による外観の変化が目立たなくなると共に、センサが取り付けられていないとき、ダミー部がセンサ取付部の充電部分を覆うので、充電部分の露出が防止される。
【０００８】
請求項２の発明によれば、センサが取り付けられるとき、ダミー部が収容部にスライド収容されるので、センサを脱着する作業性が良く、また、ダミー部の紛失が防止される。
【発明を実施するための最良の形態】
【０００９】
（第１の実施形態）
図１は、本発明の第１の実施形態に係るセンサ脱着式照明器具（以下、照明器具という）１０を斜め下から見た構成概要を示す。照明器具１０は、光源としての照明ランプ１１と、照明ランプ１１を点灯制御するためのセンサ１２と、センサ１２を器具筐体１３に脱着自在に取り付けるためのセンサ取付部１４とを備える。センサ１２は、その検出部１２ａ、１２ｂが露出するようにセンサ取付部１４に取り付けられる。また、照明器具１０は、外形がセンサ１２と略同形状を有し、センサ１２がセンサ取付部１４に取り付けられていないときのダミーとなるダミー部１５をさらに備える。センサ１２とダミー部１５は、置き換え自在にセンサ取付部１４に取り付けられる。
【００１０】
照明ランプ１１は、蛍光管、白熱球、ＬＥＤ等である。照明器具１０は、センサ１２の出力信号に基づいて照明ランプ１１を点灯制御する点灯制御回路等を器具筐体１３内に備える。その点灯制御は、例えば、オン・オフ制御、位相制御、パルス幅制御、振幅制御等である。
【００１１】
センサ１２は、例えば、人感センサ又は明るさセンサ或いはそれらの組み合わせである。人感センサは、例えば、赤外線を感知する焦電素子等から成り、人体が発生する赤外線を感知することによって所定の検出範囲の人の存在を検出する。明るさセンサは、例えば、明るさに応じて出力電流が変化するフォトダイオード等から成り、所定の計測範囲の明るさを計測する。なお、センサ１２は、人感センサ又は明るさセンサに限定されるものではない。
【００１２】
図２（ａ）はセンサ取付部１４の外観、図２（ｂ）はセンサ１２とダミー部１５の外観を示す。センサ取付部１４は、センサ１２を器具筐体１３に脱着自在に取り付けるための取付台であり、器具筐体１３の下面に設けられる。センサ取付部１４及びセンサ１２は、センサ取付部１４に取り付けられたセンサ１２を保持するための保持構造を備える。保持構造として、例えば、互いに脱着自在に係合する部材をセンサ１２及びセンサ取付部１４に設けた構造や、互いに磁気結合する永久磁石と鉄片等を備えた構造を用いればよい。
【００１３】
センサ１２とセンサ取付部１４は、電気的に相互接続するためのコネクタ１２ｃとコネクタ１４ｃをそれぞれ備える。コネクタ１２ｃ、１４ｃは、器具筐体１３からセンサ取付部１４を介してセンサ１２へ給電するための電源端子と、センサ１２からセンサ取付部１４を介して器具筐体１３内の点灯制御回路に出力信号を送信するための信号端子等を有する。センサ１２がセンサ取付部１４に取り付けられた状態で、コネクタ１２ｃとコネクタ１４ｃが電気的に接続される。コネクタ１４ｃの電源端子は、充電部分であり、その充電部分がセンサ取付部１４から突出しないように、コネクタ１４ｃをメス・コネクタ、コネクタ１２ｃをオス・コネクタとすることが好ましい。また、コネクタ１２ｃ、１４ｃは、センサ１２をセンサ取付部１４に保持する保持構造を兼ねてもよい。
【００１４】
図２（ｂ）に示すように、センサ１２は、例えば、人感センサと明るさセンサを組み合わせたものであり、人感センサの検出部１２ａと明るさセンサの検出部１２ｂを有する。センサ１２がセンサ取付部１４に取り付けられた状態において、それら検出部１２ａ、１２ｂは、それぞれ、赤外線、可視光線を受光するように露出する。
【００１５】
ダミー部１５は、外形がセンサ１２と略同形状を有し、センサ機能を有しないダミーであり、センサ取付部１４に機械的に接続するための接続部１５ｃを備える。ダミー部１５がセンサ取付部１４に取り付けられた状態において、コネクタ１４ｃは、ダミー部１５を構成する絶縁材料によって覆われる。
【００１６】
上記のように構成された照明器具１０は、センサ１２が取り付けられているとき、センサ１２の出力信号に基づいて照明ランプ１１が点灯制御される。例えば、照明器具１０は、センサ１２の人感センサが人を検出したとき、照明ランプ１１を点灯すると共に、明るさセンサが計測する明るさが一定となるように照明ランプ１１の調光率を制御することによって照度を一定に保つ。また、照明器具１０は、センサ１２の人感センサが人を一定時間検出しないとき、照明ランプ１１を消灯して省エネルギーが図られる。また、照明器具１０は、センサ１２に換ってダミー部１５が取り付けられているとき、例えば、照明器具１０への供給電源の入切操作又は他の照明器具からの制御信号等によって照明ランプ１１が点灯・消灯等される。
【００１７】
図２（ｃ）（ｄ）は、照明器具１０におけるセンサ取付部１４付近の外観を示し、図２（ｃ）は、センサ３２が取りけられている状態、図２（ｄ）は、センサ３２が取り外され、ダミー部１５が取り付けられている状態を示す。ダミー部１５の外形は、センサ１２の外形と略同形状であり、センサ取付部１４にダミー部１５が取り付けられた状態の外観は、センサ取付部１４にセンサ１２が取り付けられた状態の外観と略同じである。また、センサ取付部１４にダミー部１５が取り付けられた状態において、センサ取付部１４は、コネクタ１４ｃがダミー部１５で覆われ、その充電部が露出しない。
【００１８】
このように、本実施形態の照明器具１０は、センサ１２と、それと外形が略同形状のダミー部１５が置き換え自在にセンサ取付部１４に取り付けられるので、センサの脱着による外観の変化が目立たなくなると共に、センサ１２が取り付けられていないとき、ダミー部１５がセンサ取付部１４の充電部分を覆うので、充電部分の露出が防止される。従って、照明器具１０は、意匠性が高まると共に、品質と安全性が向上する。また、ダミー部１５は、センサ機能を有しておらず、センサ取付部１４との機械的な接続機能のみを有していればよいので、構造がシンプルであり、低コストに生産することができる。
【００１９】
（第２の実施形態）
図３は本発明の第２の実施形態に係るセンサ脱着式照明器具２０の構成概要を示す。本実施形態の照明器具２０は、センサ取付部２４とダミー部２５の構成が、第１の実施形態と異なる。センサ取付部２４は、センサ１２又はそれと外形が略同形状のダミー部２５が取り付けられる取付台２４１と、取付台２４１の側方にあって、ダミー部２５をスライド収容するための収容部２４２とを備える。
【００２０】
さらに、センサ取付部２４は、照明器具２０をリモコン操作するためのリモコン信号を受信するリモコンインターフェース２４ａを収容部２４２内に備える。収容部２４２の下面には、リモコン信号を通過させるための孔部２４ｈが形成されている。
【００２１】
図４（ａ）（ｂ）（ｃ）（ｄ）は、センサ取付部２４へのセンサ１２の取り付け手順を時系列に示す。ダミー部２５に換ってセンサ１２が取付台２４１に取り付けられるとき、ダミー部２５が収容部２４２にスライド収容される。
【００２２】
先ず、図４（ａ）に示すように、センサ取付部２４にセンサ１２が取り付けられていないとき、ダミー部２５は、収容部２４２からスライドして引き出され、取付台２４１に取り付けられた状態となる。センサ取付部２４は、センサ１２を接続するためのコネクタ２４ｃがダミー部２５で覆われ、その充電部が露出しない。
【００２３】
続いて、図４（ｂ）に示すように、収容部２４２は、内部が空洞になっており、ダミー部２５が、収容部２４２内に引き出し状にスライドして収容される。
【００２４】
続いて、図４（ｃ）に示すように、ダミー部２５が収容部２４２に完全に収容されると、センサ取付部２４は、その取付台２４１が露出した状態となる。センサ１２は、取付台２４１に取り付けられる。ダミー部２５には、リモコンインターフェース２４ａへのリモコン信号を通過させるための孔部２５ｈが形成されており、その孔部２５ｈは、収容部２４２の孔部２４ｈと位置が重なる。
【００２５】
続いて、図４（ｄ）に示すように、センサ１２がセンサ取付部２４の取付台２４１に取り付けられ、各コネクタ１２ｃ、２４ｃが接続される。センサ１２は、その検出部１２ａ、１２ｂが器具表面に露出した状態となる。センサ１２とダミー部２５は、外形が略同形状を有し、センサ取付部２４にセンサ１２が取り付けられた状態の外観は、センサ取付部２４にダミー部２５が取り付けられた状態の外観と略同じである。なお、センサ１２をダミー部２５に置き換える手順は、上記手順の概ね逆である。
【００２６】
次に、上記実施形態におけるダミー部２５のスライド構成について説明する。図５（ａ）は、ダミー部２５のスライド方向に直交する断面におけるセンサ取付部２４の断面構成を示し、図５（ｂ）は、センサ取付部２４の変形例としてのセンサ取付部３４の断面構成を示す。なお、センサ取付部２４、３４の上部の内部は図示を省略する。図５（ａ）に示すように、センサ取付部２４とダミー部２５は、ダミー部２５がセンサ取付部２４の収容部２４２の内側に保持されスライド収容される構成としてもよいし、図５（ｂ）に示すように、ダミー部３５がセンサ取付部３４の収容部３４２の外側に保持されスライド収容される構成としてもよい。後者の構成において、センサ取付部３４は、例えば、スライド方向に細長い溝部３４ｇが側面に形成されており、ダミー部３５は、その上端付近が溝部３４ｇと係合してスライドされる。
【００２７】
このように、本実施形態の照明器具２０は、センサ１２が取り付けられるとき、ダミー部２５が収容部２４２にスライド収容されるので、センサ１２を脱着する作業性が良く、また、ダミー部２５の紛失が防止される。
【００２８】
なお、本発明は、上記の実施形態の構成に限られず、発明の要旨を変更しない範囲で種々の変形が可能である。例えば、センサ１２及びダミー部１５の外形は、略同形状であれば、直方体に限られず、多角柱、楕円柱、半球等の形状であってもよい。
【図面の簡単な説明】
【００２９】
【図１】本発明の第１の実施形態に係るセンサ脱着式照明器具の斜視図。
【図２】（ａ）は同照明器具のセンサ取付部の斜視図、（ｂ）は同照明器具のセンサとダミー部の斜視図、（ｃ）はセンサが取り付けられたセンサ取付部の斜視図、（ｄ）はダミー部が取り付けられたセンサ取付部の斜視図。
【図３】本発明の第２の実施形態に係るセンサ脱着式照明器具の斜視図。
【図４】（ａ）（ｂ）（ｃ）（ｄ）は同照明器具のセンサ取付部へのセンサの取り付け手順を時系列に示す斜視図。
【図５】（ａ）は同センサ取付部の断面図、（ｂ）は同センサ取付部の変形例の断面図。
【図６】従来のセンサ脱着式照明器具の斜視図。
【図７】（ａ）は同照明器具のセンサ取付部の斜視図、（ｂ）はセンサが取り付けられたセンサ取付部の斜視図。
【符号の説明】
【００３０】
１０、２０  センサ脱着式照明器具
１１  照明ランプ
１２  センサ
１３  器具筐体
１４、２４、３４  センサ取付部
１５、２５、３５  ダミー部
２４１  取付台
２４２、３４２  収容部
【図１】
2010033817.tif 000003
【図２】
2010033817.tif 000004
【図３】
2010033817.tif 000005
【図４】
2010033817.tif 000006
【図５】
2010033817.tif 000007
【図６】
2010033817.tif 000008
【図７】
2010033817.tif 000009